(57)【要約】【課題】この考案は、携帯型端末を用いた情報発信において、従来になかった情報量の提供、検索方法の簡易化を確立しようとするものである。【解決手段】フロントページにおいて、選択した項目図１（Ａ）に、更なる、詳細な選択項目Ａ１〜Ａ５を設ける。なお、この詳細な選択項目は、利用者があらゆる角度から、情報取得を可能にするために、複数設けられている（図３，図４）。ここまでの手段を従来よりも詳細にすることで、情報のコンテンツも自ずと、拡大されると言える。【選択図】　図２
0003099827.tif 000002
【実用新案登録請求の範囲】
【請求項１】
この考案は、携帯型端末を使った、容易に検索できるよう、コンテンツを拡大させた商品情報サイトである。
【考案の詳細な説明】
【０００１】
【考案の属する技術分野】
この考案は、携帯電話の端末からの情報発信において、従来の情報量と内容を、より充実させ、求める情報を、詳細かつ、容易に取得できるものである。
【０００２】
【従来の技術】
従来、携帯電話の端末を用いた情報発信は、漠然とした情報が多い。その情報から掘り下げたコンテンツがなく、情報取得方法に不備な点が多かった。
【０００３】
【考案が解決しようとする課題】
本案は、その不備な点に着目し、求められる１つの情報に関するコンテンツを、従来にない規模で拡大させることにより、利用者がもつ、少量の知識からで、容易に情報を検索できるようにしようとするものである。
【０００４】
【課題を解決するための手段と実施の形態】
いま、その解決手段を例として、自動車に関する情報サイトを作成し、図面に追いながら説明すると、
（イ）　図１は、サイトの総合的なフロントページである。第１段階の選択項目表示画面である。
（ロ）　図１において、Ａを選択した場合、図２が画面に表示される。図２におけるＡ１〜Ａ５に、随時情報を入力する。Ａ１は、地域別に、イベント、走行会、展示会に関する。Ａ２は、メーカーやショップからのプレゼント、応募方法に関する。Ａ３は、メーカーやショップの買得品に関する。Ａ４は、新製品情報、バーゲン情報、イベント告知等メーカーが提供する情報の全て。Ａ５は、バーゲン情報、買得品、オープン告知（新店舖情報、リニューアルオープン）等ショップが提供する情報の全て。
以上の形に、コンテンツを、可能な限り詳細にすることで、求められる情報を広範囲な角度から取得できる。
（ハ）　図１において、Ｂを選択した場合、自動車のメーカー名から検索し、自動車名を入力すると、自動車の型式が表示され、それを経て、自動車の型式に合うパーツを画像表示する。自動車名が不明な場合は、メーカー名別に、自動車名が表示され、それを選択する事により、自動車の型式が表示されるしくみになっている。Ｂにおいては、型式が商品デザインに影響している事も多い為、重要な部分であり、入力形式ではなく、選択形式にしている為に、簡単に検索できる。
（ニ）　画像表示されたパーツには、全て、注文フォーム、資料請求フォーム、メーカーの住所、電話番号、Ｅメールアドレスを付加し、あらゆる形でも、問合わせが可能である。
（ホ）　図１において、Ｃを選択した場合、図３が画面に表示される。５０音順で選択できるしくみになっており、メーカー名の頭文字から、メーカー別に納められた情報を容易に得られる。内容としては、新製品、イベント、バーゲン、パーツ紹介から、住所、電話番号、ＦＡＸ番号、Ｅメールアドレス、営業時間、定休日に至るまで、情報としてかなりの細部に及んでいる。
（ヘ）　図１において、Ｄを選択した場合、図４が画面に表示される。地域別に選択できるしくみになっており、社名、住所、電話番号、ＦＡＸ番号、Ｅメールアドレス、地図（所在地周辺の案内図）、特徴、プロフィール、新製品情報、特価品情報等が掲載されている。
【０００５】
なお、本考案は、携帯型端末を用いた情報サイトの全てに、有効活用できる。
【０００６】
【考案の効果】
したがって、目的の情報を取得しようとする場合、関連する少量の漠然とした知識、或いは、片寄った知識からでも、詳細な目的の情報を取得可能にした。自動車名からでも、メーカー名からでも、５０音順からでも、地域別からでも検索できる画期的な効果が得られた。携帯型端末から、従来になかった情報量の提供、検索方法の簡易化が確立され、需要者と供給者双方に、有効な情報流通方法となった。
【図面の簡単な説明】
【図１】本考案の総合フロント画面図
【図２】図１、Ｂにおける詳細画面図
【図３】図１、Ｃにおける詳細画面図
【図４】図１、Ｄにおける詳細画面図
【符号の説明】
Ａ　新情報検索項目
Ｂ　商品種別検索項目
Ｃ　メーカー別検索項目
Ｄ　ショップ別検索項目
Ａ１　イベント情報掲載項目
Ａ２　プレゼント情報掲載項目
Ａ３　お買得品検索項目
Ａ４　メーカー情報掲載項目
Ａ５　ショップ情報掲載項目
【図１】
0003099827.tif 000003
【図２】
0003099827.tif 000004
【図３】
0003099827.tif 000005
【図４】
0003099827.tif 000006
【手続補正書】
【提出日】平成14年4月19日(2002.4.19)
【手続補正１】
【補正対象書類名】明細書
【補正対象項目名】全文
【補正方法】変更
【補正の内容】
【実用新案登録請求の範囲】
【請求項１】管理サーバーに携帯型端末を用いて商品などの情報を提供するサイトを運営する、サイト処理部に対し、情報収集希望者が選択し、送信した情報を記憶する情報記憶部と、情報提供者のコンピュータ端末との間で、情報提供者が情報収集希望者から受信した時、また、情報収集希望者が情報提供者から回答内容などを受信した時、それぞれの情報処理部に記憶され、即座に通信処理部により相手方に伝えることを可能にし、これにより、リアルタイムな詳細情報を提供、収集できるようにしたことを特徴とする商品などの情報提供システム。
【考案の詳細な説明】
【０００１】
【考案の属する技術分野】
この考案は、携帯型端末の通信ネットワークを利用した、情報提供システムに関するものである
【０００２】
【従来の技術】
従来、携帯型端末を利用した、通信ネットワークによる情報提供システムにおいて、サイト上に掲載された情報の中でのみ情報選択が可能であり、掲載されていない情報は取得することができなかった。
【０００３】
【考案が解決しようとする課題】
上記したように、在来の携帯型端末を利用した通信ネットワークにおいては、情報を提供する側が掲載した情報のみを公開していたが、コンテンツが少ない不備点が難点であり、またそれにより、リアルタイムな情報を得る方法がなかったのが現状である。この考案は、管理サーバーに携帯電話を利用した通信ネットワークを通じて、情報収集希望者の携帯型端末から、希望の情報を請求でき、情報提供者の端末からはその請求に応答できる機能をもたせるようにし、更に、そのリアルタイムな情報提供が可能になったことにより、結果として、情報収集者１人１人にとってコンテンツの拡大となることを目的としたものである。
【０００４】
【課題を解決するための手段と実施形態】
いま、その解決手段を実施例として自動車のアクセサリーパーツに関する情報サイトとして、図面１に追いながら説明すると、この実施例では、情報提供者は商品のメーカー、販売店、情報記憶部はメーカー、販売店に委託された広告代理店の管理サーバー内にある。情報提供者通信処理部も、管理サーバー内にあるものとして示している。図１は、本考案装置の情報提供システム概略構成図である。同図において管理サーバー１に、携帯型端末を利用して、自動車のアクセサリーパーツ、またそれに関連する情報を提供するサイトを運営するサイト処理部２に販売店、メーカーがコンピュータ端末４より通信処理部７、情報記憶部５を介してサイト処理部２に送信され、常時最新情報を公開できる。このシステムにより上記の情報収集希望者は、従来の情報システムよりも情報を取得し易くなった。それ以上、例えば商品を購入した際の納期、最寄りの取扱販売店での受取日、又は取付可能日等を知りたい場合、求める情報を情報記憶部５と通信処理部７とメーカー、販売店のコンピュータ端末４との間でメーカー、販売店側に送信し通信処理部７と、メーカー、販売店から受信した情報を記憶する情報記憶部５と、情報収集希望者の携帯型端末との間に、サイト処理部、情報収集希望者への通信処理部６を介して、メーカー、販売店からの回答内容などの情報を情報収集希望者へ送信する。
【０００５】
図２は、図１における管理サーバー１、メーカー、販売店のコンピュータ端末４、情報収集希望者の携帯型端末３のプログラムのフローチャート図である。管理サーバー１におけるサイト上に、この情報提供システムに情報公開委託をしたメーカー、販売店の情報（メーカー、販売店、地域別、新商品情報、イベント開催など）が公開され、このサイトに自己の携帯型端末からアクセスした、情報収集希望者は、サイト上でメーカー、地域、イベントなどの検索条件により、希望の情報を検索することができると共に、自己の希望する、情報請求が書き込める送信フォームが設けられている。情報収集希望者はサイトから得られる情報を参考とし、上記の送信フォームを利用して、求める情報請求内容を書き込み送信すると、管理サーバー１のコンピュータは、プログラムに従って、この情報収集希望者から送信された請求内容を情報記憶部Ａに記憶させると共に、通信処理部Ａ’により、電子メールによりメーカー、販売店に伝える。受信したメーカー、販売店は、情報収集希望者が請求してきた内容を検討し、可能な限り情報記憶部Ｂ、通信処理部Ｂ’を介して、詳細をリアルタイムに回答できることとなる。
【０００６】
なおこの考案は、リアルタイムな情報取得が可能なため、情報を取得した者が商品購入を希望した場合には、上記の送信フォームを利用し、購入に関する必要事項を書き込み送信すれば、情報記憶部Ｃ、通信処理部Ｃ’を介してメーカー、販売店に送信され、注文受付、発注日確認などの必要情報を情報記憶部Ｄ、通信処理部Ｄ’を介し購入希望者に送信され、売買成立も可能である。
【０００７】
【考案の効果】
したがって、この考案に係る携帯型端末を利用した通信ネットワークによる情報公開システムは、情報収集希望者と、情報提供者が互いに無駄を省くことのできるもので、なおかつ、リアルタイムに情報を情報収集希望者に伝えられ、結果として、情報収集希望者は目的の情報が取得できることとなり、よって、携帯型端末から、従来になかった情報量につながり、これは、コンテンツの拡大といえ、同時に目的の情報請求が可能な送信フォームを備えることにより、従来にない携帯型端末においての情報提供システムといえる。メーカー、販売店も個々の端末より直接情報を発信できる利点があり、情報収集希望者からの送信フォームの対応もサイトへの情報公開も管理サーバー内を通じて、ラインが確立された。
【図面の簡単な説明】
【図１】情報提供システムの概略構成図
【図２】プログラムのフローチャート図
【符号の説明】
１．管理サーバー
２．サイト処理部
３．情報収集希望者の携帯型端末
４．メーカー、販売店のコンピュータ端末
５．情報記憶部
６．情報収集希望者への通信処理部
７．サイト、メーカー、販売店のコンピュータ端末への通信処理部


【手続補正２】
【補正対象書類名】図面
【補正対象項目名】全図
【補正方法】変更
【補正の内容】
【図１】
0003099827.tif 000007
【図２】
0003099827.tif 000008